(57)【特許請求の範囲】
【請求項１】
浴槽と、該浴槽内の温水を貯湯缶体へ循環させることで浴槽水の追い焚きを行うための風呂追い焚き循環路と、前記貯湯缶体と、該貯湯缶体への上水道からの入水路と、前記貯湯缶体からの出湯路と、前記入水路の途中から分岐されるバイパス路と、該バイパス路からの水と前記出湯路からの温水を混合する固定式ワックスサーモ混合器と、該固定式ワックスサーモ混合器を経て混水された温水を前記浴槽へ自動給湯するための風呂自動給湯路とを少なくとも有し、風呂自動湯張り運転が指令されると前記貯湯缶体からの温水と前記バイパス路からの水を固定式ワックスサーモ混合器で混合して、固定温度の温水を前記風呂自動給湯路から前記風呂追い焚き循環路を介して浴槽へ落とし込むようにした風呂自動湯張り装置であって、前記風呂追い焚き循環路に設けた風呂温度センサを兼用して風呂自動湯張り運転中の給湯温度を検出するように構成すると共に、前記入水路からの水を固定式ワックスサーモ混合器を経ることなく直接的に前記風呂追い焚き循環路を経て浴槽に落とし込むことができる風呂自動給水路を別に設け、且つ風呂自動湯張り運転中に前記風呂温度センサによって検出された風呂自動給湯温度が前記固定温度よりも一定温度以上高温である場合には前記固定式ワックスサーモ混合器が高温側に固着していると判定して以後の風呂自動湯張りを前記風呂自動給湯路を用いた風呂自動給湯と前記風呂自動給水路を用いた風呂自動給水との組み合わせで行わせるコントローラを設けたことを特徴とする風呂自動湯張り装置。
【発明の詳細な説明】
【０００１】
【発明の属する技術分野】
本発明は風呂自動湯張り装置に関する。
【０００２】
【従来の技術】
従来、いわゆるセミ貯湯式等の貯湯式缶体を備え、例えば80℃の高温に保持された貯湯式缶体からの温水と上水道からの水とをいわゆる固定式ワックスサーモ混合器を用いて、固定された温度、例えば37℃の温水にして浴槽に自動給湯するように構成した風呂自動湯張り装置が提供されている。
【０００３】
【発明が解決しようとする課題】
ところが上記した従来の風呂自動湯張り装置においては、固定式ワックスサーモ混合器が高温側に固着した場合には、高温の温水が浴槽に自動給湯されてしまうという問題があった。
【０００４】
そこで本発明は、上記従来における風呂自動湯張り装置の問題を解消し、貯湯缶体内の高温の湯が、適当な温度に低下させられることなく浴槽に導入されるのを防止することができる風呂自動湯張り装置の提供を課題とする。
【０００５】
【課題を解決するための手段】
上記課題を達成するため、本発明の風呂自動湯張り装置は、浴槽と、該浴槽内の温水を貯湯缶体へ循環させることで浴槽水の追い焚きを行うための風呂追い焚き循環路と、前記貯湯缶体と、該貯湯缶体への上水道からの入水路と、前記貯湯缶体からの出湯路と、前記入水路の途中から分岐されるバイパス路と、該バイパス路からの水と前記出湯路からの温水を混合する固定式ワックスサーモ混合器と、該固定式ワックスサーモ混合器を経て混水された温水を前記浴槽へ自動給湯するための風呂自動給湯路とを少なくとも有し、風呂自動湯張り運転が指令されると前記貯湯缶体からの温水と前記バイパス路からの水を固定式ワックスサーモ混合器で混合して、固定温度の温水を前記風呂自動給湯路から前記風呂追い焚き循環路を介して浴槽へ落とし込むようにした風呂自動湯張り装置であって、前記風呂追い焚き循環路に設けた風呂温度センサを兼用して風呂自動湯張り運転中の給湯温度を検出するように構成すると共に、前記入水路からの水を固定式ワックスサーモ混合器を経ることなく直接的に前記風呂追い焚き循環路を経て浴槽に落とし込むことができる風呂自動給水路を別に設け、且つ風呂自動湯張り運転中に前記風呂温度センサによって検出された風呂自動給湯温度が前記固定温度よりも一定温度以上高温である場合には前記固定式ワックスサーモ混合器が高温側に固着していると判定して以後の風呂自動湯張りを前記風呂自動給湯路を用いた風呂自動給湯と前記風呂自動給水路を用いた風呂自動給水との組み合わせで行わせるコントローラを設けたことを特徴としている。
【０００６】
上記本発明の特徴によれば、風呂自動湯張り運転中において、風呂自動給湯温水の温度は、風呂追い焚き循環路に設けられた風呂温度センサによって検出され、コントローラに入力される。そして風呂温度センサによって検出された風呂自動給湯温度が予め定められた固定温度よりも一定温度以上高温である場合には、コントローラによって一旦風呂自動給湯運転が停止され、その後の風呂自動湯張り運転が風呂自動給湯路を用いた風呂自動給湯と風呂自動給水路を用いた風呂自動給水との組み合わせによって行われる。このように風呂自動給湯温度が高温であると判定された以後は風呂自動給湯と風呂自動給水との組み合わせで浴槽への湯張りがなされるので、浴槽が予定をはるかに超えるような高温水で湯張りされてしまうのが防止されると共に最終的には所定温度に近い温度での湯張りを完了させることも可能とすることができる。
前記風呂自動給湯と風呂自動給水との組み合わせの湯張り運転は、先に風呂自動給水を行ってから風呂自動給湯を行うようにすることができる。また風呂自動給湯と風呂自動給水を交互に少しずつ行わせることができる。このようにすることで、高温水が浴槽内に導入されることによる不都合を軽減することができる。
前記風呂自動給湯温度が予め定められた固定温度よりも一定温度以上高温であると判定された以後の風呂自動給湯量と風呂自動給水量は、風呂設定温度、既に湯張りした流量とその温度、湯張り完了までの残りの湯張り流量、風呂自動給湯温度、風呂自動給水温度から、演算することができる。
【０００７】
【発明の実施の形態】
図１〜図３は本発明の風呂自動湯張り装置の実施の形態例を示す全体構成図で、図１は風呂自動給湯される温水を追い焚き加熱することなく浴槽へ落とし込む場合の経路を示し、図２は風呂自動給湯される温水を追い焚き加熱して浴槽へ落とし込む場合の経路を示し、図３は浴槽水位が追い焚き循環可能な水位に達しているか否かを判定する循環判定を行う場合の経路を示す。図４はコントローラによる風呂自動湯張り運転時の制御構成を説明するフローチャートである。
【０００８】
図１〜図３において、貯湯缶体10は比較的小さな貯湯槽11を備えたいわゆるセミ貯湯缶体として構成されている。図示しない石油バーナ等のバーナが設備され、バーナの燃焼によって貯湯槽11内の水が加熱される。貯湯槽11内の貯湯温度は、缶体温度センサ12によって検出される。13は熱交換用通水管である。
前記貯湯缶体10の貯湯槽11に対して入水路21と出湯路22とが接続されている。前記入水路21を通って上水道からの水が貯湯槽11に導入される。入水路21の途中からバイパス路23が分岐して接続されている。24は上水道の減圧弁である。前記バイパス路23と前記出湯路22とが固定式ワックスサーモ混合器30を介して風呂自動給湯路40に接続している。
風呂自動給湯路40には、給湯流量センサ41、開閉弁42、逆流防止弁43が設けられている。
【０００９】
浴槽50と前記貯湯缶体10との間には風呂追い焚き循環路が60が設けられている。即ち、風呂追い焚き循環路60は、浴槽50の追い焚き循環口を構成する循環金具51から貯湯缶体10へ浴槽水を戻すための循環戻し路61と、貯湯缶体10から浴槽50へ追い焚きされた温水を導入するための循環往き路62と、前記循環戻し路61と循環往き路62との途中を接続する第１バイパス路63と第２バイパス路64とからなる。第２バイパス路64と循環往き路62とは三方切り換え弁65を介して接続されている。
循環戻し路61には、前記第１バイパス路63の接続点と第２のバイパス路64の接続点との間に、風呂温度センサ66、風呂水流センサ67が設けられ、また循環往き路62の前記第１のバイパス路63の接続点より浴槽50側に循環ポンプ68、風呂水位センサ69が設けられている。
風呂追い焚き運転時には、循環ポンプ68が駆動せられることで、浴槽水が循環金具51から循環戻し路61を通って貯湯缶体10に戻り、熱交換用通水管13を通る間に加熱され、循環往き路62を通って浴槽50に循環する。その際に前記循環戻し路61に設けられた風呂温度センサ66によって浴槽温度が検出され、所定の風呂設定温度になったところで追い焚き運転が終了せられる。
【００１０】
前記風呂自動給湯路40は風呂追い焚き循環路60の循環戻し路61に接続されている。
70はコントローラで、リモコン71からの指令により、前記缶体温度センサ12、給湯流量センサ41、風呂温度センサ66、風呂水流センサ67、風呂水位センサ69等、装置各部のセンサ類からの情報、及び自己が内蔵する制御ソフトウエアに基づいて、前記貯湯缶体10のバーナ、開閉弁42、三方切り換え弁65、循環ポンプ68等に所定の動作制御指令を出力する。
風呂自動湯張り運転は、先ず図１の太線で示す経路を用い、非加熱状態の風呂自動給湯温水を規定流量落とし込む毎に、図３の太線で示す経路で循環判定を行う。即ち、固定式ワックスサーモ混合器30を経ただけで追い焚き加熱がされない温水を規定流量落とし込む毎に循環ポンプ68を駆動し、浴槽水が風呂追い焚き循環路60に循環するかどうかを風呂水流センサ67で検出し、これによって浴槽水が循環金具51以上まであるか否かを判定する。そして循環金具51まで湯張りがされた時点で、設定湯張り水量までの残りの湯張りを、図１の太線で示す経路による非加熱状態の風呂自動給湯と、図２の太線で示す経路による追い焚き加熱状態の風呂自動給湯との量を調整することによって、風呂自動湯張りの完了時に風呂温度が風呂設定温度になるようにしている。
【００１１】
次に風呂自動湯張り運転中に前記固定式ワックスサーモ混合器30が高温側に固着した場合の前記コントローラ70による制御構成を、図４のフローチャートに沿って説明する。
今、風呂自動湯張り運転中において（ステップＳ１でイエス）、コントローラ70は前記風呂温度センサ66により風呂自動給湯温度ＴQ 情報を得て、風呂自動給湯温度ＴQ が固定式ワックスサーモ混合器30の正常時に得られる固定温度ＴK よりも一定温度Ｔ1 以上高温になるか否かを監視する（スッテプＳ２）。そして風呂自動給湯温度ＴQ が固定温度ＴK よりも一定温度Ｔ1 以上高温になった場合には（ステップＳ２でイエス）、コントローラ70は風呂自動湯張り運転を中止させ、またリモコン71の表示部等に異常表示を行う（ステップＳ３）。
固定式ワックスサーモ混合器30を通り風呂自動給湯路40から循環戻し路61の風呂温度センサ66を通る温水は、正常時においては前記固定式ワックスサーモ混合器30によって調節された固定温度付近にある。が、固定式ワックスサーモ混合器30が高温側に固着している場合には、前記風呂温度センサ66を通る風呂自動給湯の温水温度が高温となり、その熱い高温水が浴槽50にそのまま導入されることになる。また浴槽設定温度を超えた温度で風呂自動湯張りが完了してしまう。本実施の形態のように風呂自動湯張り運転を中止することで、高温水が浴槽50に自動湯張りされるのを防止することができる。また異常があることを表示することで、利用者にその旨を知らしめることができる。
尚、上記の実施の形態例において、固定式ワックスサーモ混合器30によって正常時に供給される温水温度、即ち固定温度は通常において、例えば38℃になるようにされるが、これに限定されない。
また貯湯缶体10の貯湯設定温度は通常80℃とするが、それ以外の温度に設定してもよく、例えば70℃〜85℃の範囲から適当な温度を設定する。
また風呂設定温度は、例えば38℃〜48℃程度の温度を適当に設定することができる。
また上記において、一定温度Ｔ1 は例えば５℃とすることができるが、５℃以上の適当な温度を設定することができる。
【００１２】
図５は風呂自動湯張り運転中に固定式ワックスサーモ混合器30が高温側に固着した場合の、コントローラ70による制御構成の他の実施の形態を示すフローチャートである。風呂自動湯張り装置そのものの構成は、図１〜図３に示す構成と同じである。
図５に示す制御構成において、コントローラ70は、風呂自動湯張り運転中（ステップＳ11でイエス）、風呂温度センサ66によって検出された風呂自動給湯温度ＴQ が固定式ワックスサーモ混合器30の正常時に得られる固定温度ＴK よりも一定温度Ｔ2 以上高温になるか否かを監視し（スッテプＳ12）、風呂自動給湯温度ＴQ が固定温度ＴK よりも一定温度Ｔ2 以上高温になった場合には（ステップＳ12でイエス）、コントローラ70は貯湯缶体10の貯湯設定温度を低温側に変更する（ステップＳ13）。
貯湯設定温度は通常時には例えば80℃等、70℃以上の適当な高温に設定される。また前記一定温度Ｔ2 は既述したＴ1 と同様に設定することができる。
前記貯湯設定温度の低温側への変更は、例えば前記風呂自動給湯温度ＴQ が固定温度ＴK よりも高くなった温度だけ、低く設定することができる。新たな貯湯設定温度は、前記風呂温度センサ66からの温度情報を得てコントローラ70が貯湯缶体10のバーナをフィードバック制御することによって維持することができる。この実施の形態のように、風呂自動給湯温度が予め定められた固定温度よりも一定温度以上高温である場合には、コントローラ70によって貯湯缶体10の貯湯設定温度が低温側に変更されることで、思わぬ高温水が浴槽50に導入されるといった問題が防止される。また浴槽50が予定をはるかに超えるような高温水で湯張りされてしまうのが防止される。
【００１３】
図６から図８は本発明の風呂自動湯張り装置の他の実施の形態例を示す全体構成図で、図６は風呂自動給湯される温水を追い焚き加熱して浴槽へ落とし込む場合の経路を示し、図７は風呂自動給水される水を浴槽へ落とし込む経路を示し、図８は浴槽水位が追い焚き循環可能な水位に達しているか否かを判定する循環判定を行う場合の経路を示す。図９はコントローラによる風呂自動湯張り運転時の制御構成を説明するフローチャートである。
【００１４】
この実施の形態例では、風呂自動湯張り装置として既述した図１〜図３の装置に、風呂自動給水路80を付加している。他の構成は図１〜図３に示す構成と同じであり、同一の部材には同一の符号を示して説明を省略する。
風呂自動給水路80は、バイパス路23から分岐され、給水開閉弁81を介して、逆流防止弁43の手前で風呂自動給湯路40と接続するように構成されている。82は給水流量センサである。このように構成することで、固定式ワックスサーモ混合器30を介しての風呂自動給湯と固定式ワックスサーモ混合器30を介さない風呂自動給水の両方を行うことができる。風呂自動給水は、図７に太線で示す経路に従い、給水開閉弁81が開放されることで、上水道からの水がバイパス路23、風呂自動給水路80、風呂追い焚き循環路60の循環戻し路61、第１バイパス路63、第２バイパス路64を通って浴槽50に導入される。
【００１５】
一方、風呂自動給湯は図６の太線で示す経路による追い焚き加熱状態の風呂自動給湯の他に、貯湯缶体10を通らない、第１バイパス路63と第２バイパス路64とだけを通る非加熱状態の風呂自動給湯（図１参照）を行うことができる構成となっている。これは上記図１〜図３に示す装置における風呂自動給湯の構成と同じである。
固定式ワックスサーモ混合器30が正常な場合における風呂自動湯張り運転は、上記図１〜図３に示す装置の場合と同様に、非加熱状態の風呂自動給湯温水を規定流量落とし込む毎に、図８の太線で示す経路で循環判定を行う。即ち、固定式ワックスサーモ混合器30を経ただけで追い焚き加熱がされない温水を規定流量落とし込む毎に循環ポンプ68を駆動し、浴槽水が風呂追い焚き循環路60に循環するかどうかを風呂水流センサ67で検出し、これによって浴槽水が循環金具51以上まであるか否かを判定する。そして循環金具51まで湯張りがされた時点で、設定湯張り水量までの残りの湯張りを、非加熱状態の風呂自動給湯と追い焚き加熱状態の風呂自動給湯との量を調整することによって、風呂自動湯張りの完了時に風呂温度が風呂設定温度になるようにしている。
【００１６】
次に固定式ワックスサーモ混合器30が正常な場合における風呂自動湯張り運転は、コントローラ70によって、図９のフローチャートのように制御されて行われる。
即ち、図９を参照して、今、風呂自動湯張り運転中において（ステップＳ21でイエス）、コントローラ70は前記風呂温度センサ66により風呂自動給湯温度ＴQ 情報を得て、風呂自動給湯温度ＴQ が固定式ワックスサーモ混合器30の正常時に得られる固定温度ＴK よりも一定温度Ｔ3 以上高温になるか否かを監視する（スッテプＳ22）。そして風呂自動給湯温度ＴQ が固定温度ＴK よりも一定温度Ｔ3 以上高温になった場合には（ステップＳ22でイエス）、コントローラ70は一旦開閉弁42を閉止して風呂自動給湯を停止する（ステップＳ23）。そしてコントローラ70は以後において、設定水位まで湯張りがなされたときに浴槽温度が風呂設定温度となるように、以後に風呂自動給湯をすべき風呂自動給湯残量と以後に風呂自動給水すべき風呂自動給水量とを演算（ステップＳ24）した後、再度風呂自動湯張り運転を開始し、先ず演算された風呂自動給水量を落とし込む（ステップＳ25）。そして次に演算された風呂自動給湯残量を落とし込み（ステップＳ26）、運転を終了する。
【００１７】
上記図９の説明で、ステップＳ23において、風呂自動給湯を一旦停止した時点で浴槽水位が追い焚き循環可能な循環金具51の水位に達していない場合は、循環判定が可能となるまで、風呂自動給水を行うようにしてもよい。また引き続き風呂自動給湯を循環判定が可能となるまで行うようにしてもよい。風呂自動湯張りを追い焚き循環できる水位になるまで行うことで、その時点での浴槽温度を風呂温度センサ66で検出することができ、その後の風呂自動湯張りで浴槽温度を正確に風呂設定温度に調節することができる。一方、未だ浴槽水位が風呂循環金具51の水位まで達していない場合に風呂自動給湯を停止して、以後の演算を行う場合には、その状態での浴槽温度を自動給湯温度として演算することになる。
またステップＳ25とステップＳ26とにおいて、風呂自動給湯と風呂自動給水との組み合わせによる湯張り運転は、先に風呂自動給水を行ってから風呂自動給湯を行うようにする他、風呂自動給湯と風呂自動給水を交互に少しづつ行わせるようにしてもよい。このようにすることで、浴槽50内が高温になるのを軽減することができる。
【００１８】
前記ステップＳ24での風呂自動給湯残量と風呂自動給水量とを演算する仕方の例を、次に示す。
風呂自動給湯残量Ｋと風呂自動給水量Ｊは、風呂設定温度をＩ、現在までの落とし込み総流量をＤ、風呂設定水位までのまでの落とし込み残量をＦ、現在の風呂温度をＢ、自動給水される水の温度をＨ、風呂自動給湯温度をＡとすると、次の２つ式が成立する。
Ｉ×（Ｄ＋Ｆ）＝Ｂ×Ｄ＋Ｈ×Ｊ＋Ａ×Ｋ
Ｆ＝Ｊ＋Ｋ
よってこの２つの式から風呂自動給湯残量Ｋと風呂自動給水量Ｊが、コントローラ70において演算できる。
前記において現在までの落とし込み総流量Ｄは給湯流量センサ41から得ることができる。
また現在の風呂温度Ｂは、浴槽水を風呂追い焚き循環路60に循環させて風呂温度センサ66から得ることができる。勿論、現在の浴槽水位が循環金具51より下の場合には、落とし込んだ風呂自動給湯温度Ａを採用してもよい。
風呂設定水位までの落とし込み残量Ｆは、現在の風呂水位Ｃを風呂水位センサ69から得て、風呂設定水位Ｅから引き算し、既知の浴槽断面積Ｇを掛け算することで得ることできる。また現在の浴槽水位が循環金具51より下の場合には、予定の落とし込み総流量から現在までの落とし込み総流量Ｄを引き算することで得ることができる。
【００１９】
図10から図12は本発明の風呂自動湯張り装置の更に他の実施の形態例を示す全体構成図で、図10は風呂自動給湯される温水を追い焚き加熱することなく浴槽へ落とし込む場合の経路を示し、図11は浴槽へ風呂自動給水する場合の経路を示し、図12は浴槽水位が追い焚き循環可能な水位に達しているか否かを判定する循環判定を行う場合の経路を示す。
この実施の形態例においては、これまでの例において示した固定式ワックスサーモ混合器30を用いる代わりに、出湯路22とバイパス路23にそれぞれ開閉弁91、92を設ける構成としている。また図１〜図３に示すような風呂自動給湯路40の開閉弁42は設けない。
装置の他の構成は図１〜図３に示す構成と同じであるので、同一の部材には同一の符号を付して説明を省略する。
この例の場合、減圧弁24を経た後に出湯路22及びバイパス路23を通って混合される温水と水の各流量の比は、開閉弁91と開閉弁92の開放時の開口度合い等を予め調節しておくことで、元水圧の変動によらず一定にすることができる。
風呂自動湯張り運転時には、コントローラ70は図10の太線で示す経路において、前記２つの開閉弁91、92を開放し、風呂温度センサ66により風呂自動湯張り温度を監視しながら、風呂自動湯張り温度が風呂設定温度になるように貯湯缶体10の貯湯温度をフィードバック制御する。
また風呂自動給水する場合には、バイパス路23の開閉弁92を開放、出湯路22の開閉弁91を閉止することで行うことができる。
また追い焚きする場合は、両開閉弁91、92を閉止する。
この例においては、固定式ワックスサーモ混合器を用いずに、２つの開閉弁91、92を用いて落とし込み、風呂温度センサ66の検出温度が風呂設定温度になるように貯湯温度をフィードバック制御するようにしたから、固定式ワックスサーモ混合器を省略することができる。ワックスサーモ混合器を省略することで、ワックスサーモ混合器の高温側の固着に原因する、異常高温での落とし込みがなされるといったことが防止できる。またフィードバック制御により貯湯温度を調節することで、風呂設定温度での湯張りが可能となった。
【００２０】
図13は本発明の風呂自動湯張り装置の更に別の実施の形態例を示す全体構成図である。この形態例においては、上記図１〜図３で示した固定式ワックスサーモ混合器30を用いる代わりに、バイパス路23にオリフィス93を設ける構成としている。装置の他の構成は図１〜図３に示す構成と同じである。同一の部材には同一の符号を付して説明を省略する。図13においては、太線によって風呂自動給湯される温水を追い焚き加熱することなく浴槽50へ落とし込む場合の経路を示している。
この例の場合、減圧弁24を経た後に出湯路22及びバイパス路23を通って混合される温水と水の各流量の比は、オリフィス93によって元水圧の変動によらず一定にすることができる。
風呂自動湯張り運転時には、コントローラ70は開閉弁42を開放し、風呂温度センサ66により風呂自動湯張り温度を監視しながら、風呂自動湯張り温度が風呂設定温度になるように貯湯缶体10の貯湯温度をフィードバック制御する。
上記図10〜図12に示す例の場合と同様の効果を得ることができる。
【００２１】
【発明の効果】
本発明は以上の構成よりなり、請求項１に記載の風呂自動湯張り装置によれば、風呂追い焚き循環路に設けた風呂温度センサを兼用して風呂自動湯張り運転中の給湯温度を検出するように構成すると共に、入水路からの水を固定式ワックスサーモ混合器を経ることなく直接的に前記風呂追い焚き循環路を経て浴槽に落とし込むことができる風呂自動給水路を別に設け、且つ風呂自動湯張り運転中に前記風呂温度センサによって検出された風呂自動給湯温度が固定温度よりも一定温度以上高温である場合には前記固定式ワックスサーモ混合器が高温側に固着していると判定して以後の風呂自動湯張りを前記風呂自動給湯路を用いた風呂自動給湯と風呂自動給水路を用いた風呂自動給水との組み合わせで行わせるコントローラを設けたので、
固定式ワックスサーモ混合器が固着した場合においても、貯湯缶体からの思わぬ高温水が浴槽に導入されてしまうという問題を解消することができる。
また、判定以後は風呂自動給湯と風呂自動給水を組み合わせて風呂自動湯張りを行うようにしているので、浴槽設定温度に近い温度での風呂自動湯張りを可能とすることができる。
【図面の簡単な説明】
【図１】本発明の風呂自動湯張り装置の実施の形態例を示す全体構成図で、風呂自動給湯される温水を追い焚き加熱することなく浴槽へ落とし込む場合の経路を示す。
【図２】図１と同じ形態例を示す全体構成図で、風呂自動給湯される温水を追い焚き加熱して浴槽へ落とし込む場合の経路を示す。
【図３】図１と同じ形態例を示す全体構成図で、浴槽水位が追い焚き循環可能な水位に達しているか否かを判定する循環判定を行う場合の経路を示す。
【図４】コントローラによる風呂自動湯張り運転時の制御構成を説明するフローチャートである。
【図５】コントローラによる風呂自動湯張り運転時の制御構成の他の実施の形態を示すフローチャートである。
【図６】本発明の風呂自動湯張り装置の他の実施の形態例を示す全体構成図で、風呂自動給湯される温水を追い焚き加熱して浴槽へ落とし込む場合の経路を示す。
【図７】図６と同じ実施の形態例を示す全体構成図で、風呂自動給水される水を浴槽へ落とし込む経路を示す。
【図８】図６と同じ実施の形態例を示す全体構成図で、浴槽水位が追い焚き循環可能な水位に達しているか否かを判定する循環判定を行う場合の経路を示す。
【図９】コントローラによる風呂自動湯張り運転時の更に他の制御構成を説明するフローチャートである。
【図１０】本発明の風呂自動湯張り装置の更に他の実施の形態例を示す全体構成図で、風呂自動給湯される温水を追い焚き加熱することなく浴槽へ落とし込む場合の経路を示す。
【図１１】図10と同じ実施の形態例を示す全体構成図で、浴槽へ風呂自動給水する場合の経路を示す。
【図１２】図10と同じ実施の形態例を示す全体構成図で、浴槽水位が追い焚き循環可能な水位に達しているか否かを判定する循環判定を行う場合の経路を示す。
【図１３】本発明の風呂自動湯張り装置の更に別の実施の形態例を示す全体構成図である。
【符号の説明】
10  貯湯缶体
11  貯湯槽
12  缶体温度センサ
21  入水路
22  出湯路
23  バイパス路
30  固定式ワックスサーモ混合器
40  風呂自動給湯路
41  給湯流量センサ
42  開閉弁
50  浴槽
51  循環金具
60  風呂追い焚き循環路
61  循環戻し路
62  循環往き路
63  第１バイパス路
62  第２バイパス路
66  風呂温度センサ
68  循環ポンプ
70  コントローラ
【図１】
0003692607.tif 000002
【図２】
0003692607.tif 000003
【図３】
0003692607.tif 000004
【図４】
0003692607.tif 000005
【図５】
0003692607.tif 000006
【図６】
0003692607.tif 000007
【図７】
0003692607.tif 000008
【図８】
0003692607.tif 000009
【図９】
0003692607.tif 000010
【図１０】
0003692607.tif 000011
【図１１】
0003692607.tif 000012
【図１２】
0003692607.tif 000013
【図１３】
0003692607.tif 000014